(57)【要約】【課題】  照明器具が複数ある場合の故障判定や、照度センサの故障判定を可能ならしめるようにする。【解決手段】  照度センサ３０の診断時に、複数の照明器具Ａ，Ｂをオン・オフ制御しその時の照度値を取得して互いに比較することで、照度センサ３０の正常・故障を判定するとともに、複数の照明器具Ａ，Ｂの診断時に、これら複数の照明器具Ａ，Ｂを個々に調光値を変化させその時の照度値を取得して互いに比較することで、個々の照明器具Ａ，Ｂの正常・故障を判定するようにする。【選択図】        図２
2006210114.tif 000002
【特許請求の範囲】
【請求項１】
室内に設けた複数の照明器具と、
前記複数の照明器具の照度を測定可能な位置に配置された照度センサと、
前記複数の照明器具および前記照度センサとネットワークにより結ばれ、前記照度センサの測定した照度値に基づき前記複数の照明器具を調光し予め設定された調光値に調整する機能、及び前記照度センサと前記複数の照明器具の診断機能を持つ調光コントローラとを備え、
前記調光コントローラは、前記照度センサの診断時に、前記複数の照明器具をオン・オフ制御しその時の照度値を取得して互いに比較することで、照度センサの正常・故障を判定するとともに、前記複数の照明器具の診断時に、前記複数の照明器具を個々に調光値を変化させその時の照度値を取得して互いに比較することで、個々の照明器具の正常・故障を判定するように構成されてなることを特徴とする照明制御システムの故障判定装置。
【請求項２】
前記調光コントローラは、前記照度センサと前記複数の照明器具の診断を行う際に、まず照度センサの診断を行い、照度センサが正常であることが確認された場合にのみ、続けて前記複数の照明器具の診断を行うように構成されてなることを特徴とする請求項１記載の照明制御システムの故障判定装置。
【請求項３】
前記調光コントローラは、前記診断の結果、前記照度センサや前記個々の照明器具に故障が見つかった場合、これを報知する手段を備えていることを特徴とする請求項１又は請求項２記載の照明制御システムの故障判定装置。
【請求項４】
前記照度センサと前記複数の照明器具の診断を、当該照明制御システムの電源がオンあるいはオフ操作された時に行うことを特徴とする請求項１乃至請求項３のいずれかに記載の照明制御システムの故障判定装置。
【発明の詳細な説明】
【技術分野】
【０００１】
本発明は、照度センサにより測定した照明器具の照度値に基づき調光を自動的に行う照明制御システムに係り、より詳しくは照度センサと照明器具の診断機能を持つ照明制御システムの故障判定装置に関する。
【背景技術】
【０００２】
従来より、照明の照度を照度センサにより測定して、この照度センサの照度値によって照明器具の故障の判定を行うようにしたものは知られている（例えば特許文献１参照）。
【０００３】
【特許文献１】特開平７−２３７８４２号公報
【発明の開示】
【発明が解決しようとする課題】
【０００４】
しかしながら、このようなものにあっては、単一の照明器具の故障判定は可能であるが、照明器具が複数ある場合の故障判定や、照度センサの故障判定には対応しきれていないのが実情であった。
【０００５】
本発明の技術的課題は、照明器具が複数ある場合の故障判定や、照度センサの故障判定を可能ならしめるようにすることにある。
【課題を解決するための手段】
【０００６】
本発明に係る照明制御システムの故障判定装置は、室内に設けた複数の照明器具と、前記複数の照明器具の照度を測定可能な位置に配置された照度センサと、前記複数の照明器具および前記照度センサとネットワークにより結ばれ、前記照度センサの測定した照度値に基づき前記複数の照明器具を調光し予め設定された調光値に調整する機能、及び前記照度センサと前記複数の照明器具の診断機能を持つ調光コントローラとを備え、前記調光コントローラは、前記照度センサの診断時に、前記複数の照明器具をオン・オフ制御しその時の照度値を取得して互いに比較することで、照度センサの正常・故障を判定するとともに、前記複数の照明器具の診断時に、これら複数の照明器具を個々に調光値を変化させその時の照度値を取得して互いに比較することで、個々の照明器具の正常・故障を判定するように構成されてなるものである。
【発明の効果】
【０００７】
本発明の照明制御システムの故障判定装置によれば、照明器具が複数ある場合の故障判定や、照度センサの故障判定が可能となり、かつこれら複数の照明器具や照度センサの診断を調光コントローラにて一元的に行うことができる。
【発明を実施するための最良の形態】
【０００８】
以下、図示実施形態により本発明を説明する。
図１は本発明の一実施形態に係る照明制御システムの故障判定装置のシステム構成図、図２はそのシステムのブロック図、図３はその全体の動作を説明するためのフローチャート、図４はその照度センサ診断処理の動作を説明するためのフローチャート、図５はその照明器具診断処理の動作を説明するためのフローチャートである。なお、複数の照明器具が同時に故障する確率は極めて低いため、ここではそのような同時多発故障は想定しておらず、対象外である。
【０００９】
本実施形態の照明制御システムの故障判定装置は、図１のように室内に設けた複数（ここでは２つ）の照明器具Ａ，Ｂと、これら照明器具Ａ，Ｂにより照明された照度を測定可能な位置に配置された照度センサ３０と、これら照明器具Ａ，Ｂ及び照度センサ３０とネットワーク１により結ばれて、照度センサ３０からの照度値を得て照明器具Ａ，Ｂを調光し、予め設定された調光値に調整する機能、及び照度センサ３０と照明器具Ａ，Ｂの診断機能を有する調光コントローラ１０とから構成されている。なお、ここでいうネットワーク１とは、ホームネットワークやビル設備ネットワークなど設備機器をコントロールするためのネットワーク、ZigBeeやBluetooth、無線LANなど無線ネットワークも含むものである。
【００１０】
これを図２に基づき更に詳述すると、調光コントローラ１０は、ネットワーク１により照明器具Ａ，Ｂの制御や照度センサ３０の情報を送受信するための通信部１１と、当該調光コントローラ１０や照明器具Ａ，Ｂ、照度センサ３０等それぞれの機器固有を識別するためのＩＤ（あるいはアドレス）を格納するＩＤ記憶部１２と、照明器具Ａ，Ｂに対して調光値を設定するための調光命令部１３と、照明器具Ａ，Ｂの調光値を変化させ、照度センサ３０から受信した照度値により、照明器具Ａ，Ｂや照度センサ３０の故障判定を行う故障判定部１４と、照度センサ３０から受信した照度値を格納する記憶部１５と、調光値の設定値や故障判定時の故障箇所の表示を行う表示部１６と、調光値の設定を行うための操作部１７と、から構成されている。
【００１１】
照明器具Ａ，Ｂは、いずれも同一構成からなり、それぞれネットワーク１により調光コントローラ１０との間で調光値の情報を送受信するための通信部２１ａ，２１ｂと、調光コントローラ１０や当該照明器具Ａ，Ｂ、照度センサ３０等それぞれの機器固有を識別するためのＩＤ（あるいはアドレス）を格納するＩＤ記憶部２２ａ，２２ｂと、ネットワーク１を介して調光コントローラ１０から命令されるデジタルの調光値を実際に調光するためのアナログ値に変換するためのＡ／Ｄ変換部２３ａ，２３ｂと、照明部を命令された調光値に調光するための回路からなる調光部２４ａ，２４ｂと、蛍光灯や白熱灯など実際に照明を行う回路からなる照明部２５ａ，２５ｂと、から構成されている。
【００１２】
照度センサ３０は、ネットワーク１により調光コントローラ１０との間で照度値の情報を送受信するための通信部３１と、調光コントローラ１０や照明器具Ａ，Ｂ、当該照度センサ３０等それぞれの機器固有を識別するためのＩＤ（あるいはアドレス）を格納するＩＤ記憶部３２と、照度検出部で検出したアナログの照度値を、ネットワーク１を介して調光コントローラ１０へ通知するデジタルな照度値に変換するためのＡ／Ｄ変換部３３と、照度センサデバイスにより照度値を検出する回路からなる照度検出部３４と、から構成されている。
【００１３】
次に、前述の構成を有する本実施形態の照明制御システムの故障判定装置の故障判定動作について図３乃至図５に基づき図１及び図２を参照しながら説明する。図３の全体フロー図に示すように本実施形態装置においては、照度センサ３０と照明器具Ａ，Ｂの診断動作を、本照明制御システムの電源がオンあるいはオフ操作された時に自動的に開始するようになっている。すなわち、電源のオンあるいはオフ操作があると（ステップＳ１１）、調光コントローラ１０は、まず照度センサ３０の診断処理を行い（ステップＳ１２）、その診断の結果、照度センサ３０は正常であるか否かをみて（ステップＳ１３）、正常であれば、続けて照明器具Ａ，Ｂの診断処理を行い（ステップＳ１４）、その診断の結果、照明器具Ａ，Ｂは正常であるか否かをみて（ステップＳ１５）、正常であれば診断処理を終了する。
【００１４】
また、ステップＳ１３にて照度センサ３０が故障していると判定されたときや、ステップＳ１５にて照明器具Ａ，Ｂが故障していると判定されたときは、その故障箇所を調光コントローラ１０の表示部１６に表示することで報知し（ステップＳ１６）、診断動作を終了する。なお、故障箇所の表示の際、アラーム等を鳴動させるようにしてもよい。
【００１５】
照度センサ３０の診断は、図４のフローチャートに示すように行われる。まず、調光コントローラ１０の故障判定部１４が、照明器具Ａをオン（調光値を１００％）にするよう調光命令部１３により調光値１００％の調光命令を作成し通信部１１を介して照明器具Ａへ通知する。また、調光コントローラ１０の故障判定部１４は、照明器具Ｂをオフ（調光値を０％）にするよう調光命令部１３により調光値０％の調光命令を作成し通信部１１を介して照明器具Ｂへ通知する（ステップＳ２１）。
【００１６】
次いで、故障判定部１４は、照度センサ３０に対して現在の照度値を通知するよう要求する。要求を受けた照度センサ３０は、現時点の照度値を通信部３１を介して調光コントローラ１０へ通知する。このときの照度値をａ１とする。調光コントローラ１０ではこの取得した照度値ａ１を記憶部１５に格納する（ステップＳ２２）。
【００１７】
次に、調光コントローラ１０の故障判定部１４は、照明器具Ａをオフ（調光値を０％）にするよう調光命令部１３により調光値０％の調光命令を作成し通信部１１を介して照明器具Ａへ通知する。また、調光コントローラ１０の故障判定部１４は、照明器具Ｂをオン（調光値を１００％）にするよう調光命令部１３により調光値１００％の調光命令を作成し通信部１１を介して照明器具Ｂへ通知する（ステップＳ２３）。
【００１８】
次いで、故障判定部１４は、再度、照度センサ３０に対して現在の照度値を通知するよう要求する。要求を受けた照度センサ３０は、現時点の照度値を通信部３１を介して調光コントローラ１０へ通知する。このときの照度値をｂ１とする。調光コントローラ１０ではこの取得した照度値ｂ１を記憶部１５に格納する（ステップＳ２４）。
【００１９】
次に、調光コントローラ１０の故障判定部１４は、照明器具Ａをオン（調光値を１００％）にするよう調光命令部１３により調光値１００％の調光命令を作成し通信部１１を介して照明器具Ａへ通知する。また、調光コントローラ１０の故障判定部１４は、照明器具Ｂもオン（調光値を１００％）にするよう調光命令部１３により調光値１００％の調光命令を作成し通信部１１を介して照明器具Ｂへ通知する（ステップＳ２５）。
【００２０】
次いで、故障判定部１４は、再度、照度センサ３０に対して現在の照度値を通知するよう要求する。要求を受けた照度センサ３０は、現時点の照度値を通信部３１を介して調光コントローラ１０へ通知する。このときの照度値をｃ１とする。調光コントローラ１０ではこの取得した照度値ｃ１を記憶部１５に格納する（ステップＳ２６）。
【００２１】
次に、調光コントローラ１０の故障判定部１４は、照明器具Ａをオフ（調光値を０％）にするよう調光命令部１３により調光値０％の調光命令を作成し通信部１１を介して照明器具Ａへ通知する。また、調光コントローラ１０の故障判定部１４は、照明器具Ｂもオフ（調光値を０％）にするよう調光命令部１３により調光値０％の調光命令を作成し通信部１１を介して照明器具Ｂへ通知する（ステップＳ２７）。
【００２２】
次いで、故障判定部１４は、再度、照度センサ３０に対して現在の照度値を通知するよう要求する。要求を受けた照度センサ３０は、現時点の照度値を通信部３１を介して調光コントローラ１０へ通知する。このときの照度値をｄ１とする。調光コントローラ１０ではこの取得した照度値ｄ１を記憶部１５に格納する（ステップＳ２８）。
【００２３】
そして、このようにして４パターンの照度値ａ１，ｂ１，ｃ１，ｄ１を得た調光コントローラ３０の故障判定部１４は、それぞれの照度値を比較し（ステップＳ２９）、全てがほぼ等しければ（ａ１≒ｂ１≒ｃ１≒ｄ１）、照度センサ３０が故障していると判定し（ステップＳ３０）、そうでない場合は、照度センサ３０は正常と判定する（ステップＳ３１）。以上が照度センサ３０の診断動作である。
【００２４】
照明器具の診断は、図５のフローチャートに示すように個々の照明器具毎に同様の手順に従ってより行われる。まず、調光コントローラ１０の故障判定部１４が、照明器具Ａの調光値を０％にするよう調光命令部１３により調光値０％の調光命令を作成し通信部１１を介して照明器具Ａへ通知する（ステップＳ３１）。
【００２５】
次いで、故障判定部１４は、照度センサ３０に対して現在の照度値を通知するよう要求する。要求を受けた照度センサ３０は、現時点の照度値を通信部３１を介して調光コントローラ１０へ通知する。このときの照度値をａ２とする。調光コントローラ１０ではこの取得した照度値ａ２を記憶部１５に格納する（ステップＳ３２）。
【００２６】
次に、調光コントローラ１０の故障判定部１４は、照明器具Ａの調光値を５０％にするよう調光命令部１３により調光値５０％の調光命令を作成し通信部１１を介して照明器具Ａへ通知する（ステップＳ３３）。
【００２７】
次いで、故障判定部１４は、照度センサ３０に対して現在の照度値を通知するよう要求する。要求を受けた照度センサ３０は、現時点の照度値を通信部３１を介して調光コントローラ１０へ通知する。このときの照度値をｂ２とする。調光コントローラ１０ではこの取得した照度値ｂ２を記憶部１５に格納する（ステップＳ３４）。
【００２８】
次に、調光コントローラ１０の故障判定部１４は、照明器具Ａの調光値を１００％にするよう調光命令部１３により調光値１００％の調光命令を作成し通信部１１を介して照明器具Ａへ通知する（ステップＳ３５）。
【００２９】
次いで、故障判定部１４は、照度センサ３０に対して現在の照度値を通知するよう要求する。要求を受けた照度センサ３０は、現時点の照度値を通信部３１を介して調光コントローラ１０へ通知する。このときの照度値をｃ２とする。調光コントローラ１０ではこの取得した照度値ｃ２を記憶部１５に格納する（ステップＳ３６）。
【００３０】
そして、このようにして３パターンの照度値ａ２，ｂ２，ｃ２を得た調光コントローラ３０の故障判定部１４は、それぞれの照度値を比較する。まず照度値ａ２とｂ２を比較し（ステップＳ３７）、ａ２＜ｂ２であれば、次に照度値ｂ２とｃ２を比較し（ステップＳ３８）、ｂ２＜ｃ２であれば、次に照度値ａ２とｃ２を比較し（ステップＳ３９）、ａ２＜ｃ２であれば、照明器具Ａは正常と判定する（ステップＳ４０）。すなわち、３パターンの照度値ａ２，ｂ２，ｃ２が調光値と矛盾が無い場合（ａ２＜ｂ２＜ｃ２）には、照明器具Ａは正常と判定する。その後、ステップＳ４２に進む。
【００３１】
また、ステップＳ３７にてａ２＜ｂ２でないと判定された場合や、ステップＳ３８にてｂ２＜ｃ２でないと判定された場合や、ステップＳ３９にてａ２＜ｃ２でないと判定された場合には、照明器具Ａが故障していると判定し（ステップＳ４１）、その後、ステップＳ４２に進む。
【００３２】
ステップＳ４２では、他に照明器具が有るか否かをみて、有れば他の照明器具の診断処理（ステップＳ４３）を行ってからステップＳ４２に戻り、ステップＳ４２で他に照明器具が無いと判定されれば、照明器具の診断処理を終了する。ステップＳ４３にて行う他の照明器具の診断処理も、既述したようにステップＳ５１〜ステップＳ６２と同様の手順に従って行われる。以上が照明器具の診断動作である。
【００３３】
図６は照明器具診断処理動作の変形例を示すフローチャートである。この変形例の照明器具診断処理動作は、比較するための２つの照度値（例えばａ２とｂ２）が得られた時点で照度値の比較を行い（ステップＳ５５）、ａ２＜ｂ２でないと判定されれば、照明器具Ａが故障していると判定し（ステップＳ６１）、ステップＳ５５にてａ２＜ｂ２であると判定されれば、照度値ｃ２を取得するための処理（ステップＳ５６〜ステップＳ５７）を行い、次いでｂ２とｃ２の比較（ステップＳ５８）、ａ２とｃ２の比較（ステップＳ５９）を行い、再度、照明器具Ａが正常か故障かの判定を行うようにした点が前述の図５の照明器具診断処理動作と異なっており、それ以外のステップＳ５１〜ステップＳ５４の動作、及びステップＳ６０〜ステップＳ６３の動作は、前述の図５のステップＳ３１〜ステップＳ３４の動作、及びステップＳ４０〜ステップＳ４３の動作と同様である。
【００３４】
この変形例のように、比較するための２つの照度値のデータ（ａ２とｂ２）が得られた時点で照度値の比較を行い、照明器具Ａが正常か故障かの判定を行うことで、正常か故障かの判定に要する時間を短縮することができる。さらに、正常と判定されても、照度値の追加のデータ（ｃ２）を取得して、再度、照明器具Ａが正常か故障かの判定を行うようにしているので、信頼性の確保が容易となる。
【００３５】
このように本実施形態の照明制御システムの故障判定装置によれば、照度センサ３０の診断時に、複数の照明器具Ａ，Ｂをオン・オフ制御しその時の照度値を取得して互いに比較することで、照度センサ３０の正常・故障を判定するとともに、複数の照明器具Ａ，Ｂの診断時に、これら複数の照明器具Ａ，Ｂを個々に調光値を変化させその時の照度値を取得して互いに比較することで、個々の照明器具Ａ，Ｂの正常・故障を判定するようにしているので、照明器具が複数（Ａ，Ｂ）ある場合の故障判定や、照度センサ３０の故障判定が可能となり、かつこれら複数の照明器具Ａ，Ｂや照度センサ３０の診断を調光コントローラ１０にて一元的に行うことができる。
【００３６】
また、調光コントローラ１０は、照度センサ３０と複数の照明器具Ａ，Ｂの診断を行う際に、まず照度センサ３０の診断を行い、照度センサ３０が正常であることが確認された場合にのみ、続けて複数の照明器具Ａ，Ｂの診断を行うようにしているので、診断の信頼性を確保することができる。
【００３７】
また、調光コントローラ１０は、診断の結果、照度センサ３０や個々の照明器具ＡまたはＢに故障が見つかった場合、その故障箇所を表示部１６に表示して報知するようにしているので、各部の診断が終了し、例えば各照明器具がオフ状態にあっても、各照明器具がどのような状態にあるのかを把握することができる。
【００３８】
また、照度センサ３０と複数の照明器具Ａ，Ｂの診断を、当該照明制御システムの電源がオンあるいはオフ操作された時に自動的に行うように設定しているので、使用者が各種機器を診断するための操作を行う必要がなく、故障が発生した場合は照明制御システム側から知らせてくれるので、使い勝手が向上する。
【図面の簡単な説明】
【００３９】
【図１】本発明の一実施形態に係る照明制御システムの故障判定装置のシステム構成図である。
【図２】本発明の一実施形態に係る照明制御システムの故障判定装置のシステムのブロック図である。
【図３】本発明の一実施形態に係る照明制御システムの故障判定装置の全体の動作を説明するためのフローチャートである。
【図４】本発明の一実施形態に係る照明制御システムの故障判定装置の照度センサ診断処理の動作を説明するためのフローチャートである。
【図５】本発明の一実施形態に係る照明制御システムの故障判定装置の照明器具診断処理の動作を説明するためのフローチャートである。
【図６】本発明の一実施形態に係る照明制御システムの故障判定装置の照明器具診断処理動作の変形例を示すフローチャートである。
【符号の説明】
【００４０】
Ａ，Ｂ  照明器具、１  ネットワーク、１０  調光コントローラ、１６  表示部（報知する手段）、３０  照度センサ。
【図１】
2006210114.tif 000003
【図２】
2006210114.tif 000004
【図３】
2006210114.tif 000005
【図４】
2006210114.tif 000006
【図５】
2006210114.tif 000007
【図６】
2006210114.tif 000008